(57)【要約】【課題】本発明は、簡略操作にて長期に亙って支障なく玩具の筆記具頂部に対する着脱を繰り返すことができる玩具付筆記具を提供するものである。【解決手段】本発明の玩具付筆記具は、筆記部１を筆記具先端部から出没させるノック式の筆記具頂部３に玩具底部を着脱可能に取り付ける玩具付筆記具において、筆記具頂部３に形成した大径部４、小径部５からなる着脱用突部６と、玩具底部に設けた前記大径部４が挿通可能な広幅穴部２２と前記小径部５が嵌合する嵌合穴部２３とを連通させた装着受穴２４と、からなるスライド嵌着機構を備え、筆記具頂部３と玩具底部とをスライド嵌着機構により着脱可能としたものである。【選択図】図１
2004230669.tif 000002
【特許請求の範囲】
【請求項１】
筆記具頂部に玩具底部を着脱可能に取り付けるようにした玩具付筆記具において、
筆記具頂部と玩具底部とをスライド嵌着機構により着脱可能としたことを特徴とする玩具付筆記具。
【請求項２】
筆記具頂部に玩具底部を着脱可能に取り付けるようにした玩具付筆記具において、
筆記具頂部に形成した大径部、小径部からなる着脱用突部と、
玩具底部に設けた前記大径部が挿通可能な広幅穴部と前記小径部が嵌合する嵌合穴部とを連通させた装着受穴と、
からなるスライド嵌着機構を備え、
前記筆記具頂部と玩具底部とをスライド嵌着機構により着脱可能としたことを特徴とする玩具付筆記具。
【請求項３】
筆記部を筆記具先端部から出没させるノック式の筆記具頂部に玩具底部を着脱可能に取り付けるようにした玩具付筆記具において、
筆記具頂部に形成した大径部、小径部からなる着脱用突部と、
自動車型の玩具底部に設けた前記大径部が挿通可能な広幅穴部と前記小径部が嵌合する嵌合穴部とを連通させた装着受穴と、
からなるスライド嵌着機構を備え、
前記筆記具頂部と自動車型の玩具底部とをスライド嵌着機構により着脱可能としたことを特徴とする玩具付筆記具。
【発明の詳細な説明】
【発明の属する技術分野】
本発明は、筆記具頂部に着脱可能に玩具を取り付けるようにした種態の玩具付筆記具の着脱構成部の改良に関するものである。
【従来の技術】
従来、ボールペン等の筆記具の頂部に玩具を着脱可能に取り付け、筆記具としての機能の他に、取り外した玩具を小児等の遊興に供するようにした玩具付筆記具が提案され実用化されている。
この種の玩具付筆記具の一例を図５乃至図７を参照して説明する。
図５に示す従来の玩具付筆記具３０は、筆記具先端側に配置した筆記部（ペン先）３１を筆記具本体から出没させるノック式に構成した筆記具頂部３２に、例えば新幹線型の玩具４０を着脱可能に取り付けている。
筆記具頂部３２と玩具４０との嵌着機構について説明する。
図６に示すように、筆記具頂部３２の突出端面側に鍔付の円柱部３３を露出させるとともにこの円柱部３３の外周の一部に小突起３４を設け、一方、玩具４０の底部を構成する底板４１の略中央部に、図７に示すように、前記円柱部３３が装着可能な円形孔４２を穿設し、前記円柱部３３を円形孔４２に装着したときの前記小突起３４の円形孔４２の縁部に対する係合作用を利用して、筆記具頂部３２に対する玩具４０の着脱を可能としている。
なお、図５、図７中、４３は玩具４０の車輪、図５乃至図７中、３５は円柱部３３の外周に配置した蛇腹部である。
【発明が解決しようとする課題】
しかしながら、従来の玩具付筆記具３０の場合、多数回に亙って玩具４０の着脱を繰り返した場合、小突起３４が摩耗してしまい、遂には小突起３４の円形孔４２の縁部に対する係合状態が無くなって玩具４０を筆記具頂部３２に取り付けることができなくなるという問題があった。
本発明は、上記事情に鑑みてなされたものであり、簡略操作にて長期に亙って支障なく玩具の筆記具頂部に対する着脱を繰り返すことができる玩具付筆記具を提供することを目的とする。
【課題を解決するための手段】
前記課題を解決するために、請求項１記載の発明の玩具付筆記具は、筆記具頂部に玩具底部を着脱可能に取り付けるようにした玩具付筆記具において、筆記具頂部と玩具底部とをスライド嵌着機構により着脱可能としたことを特徴とするものである。
請求項２記載の発明の玩具付筆記具は、筆記具頂部に玩具底部を着脱可能に取り付けるようにした玩具付筆記具において、筆記具頂部に形成した大径部、小径部からなる着脱用突部と、玩具底部に設けた前記大径部が挿通可能な広幅穴部と前記小径部が嵌合する嵌合穴部とを連通させた装着受穴と、からなるスライド嵌着機構を備え、前記筆記具頂部と玩具底部とをスライド嵌着機構により着脱可能としたことを特徴とするものである。
請求項３記載の発明の玩具付筆記具は、筆記部を筆記具先端部から出没させるノック式の筆記具頂部に玩具底部を着脱可能に取り付けるようにした玩具付筆記具において、筆記具頂部に形成した大径部、小径部からなる着脱用突部と、自動車型の玩具底部に設けた前記大径部が挿通可能な広幅穴部と前記小径部が嵌合する嵌合穴部とを連通させた装着受穴と、からなるスライド嵌着機構を備え、前記筆記具頂部と自動車型の玩具底部とをスライド嵌着機構により着脱可能としたことを特徴とするものである。
本発明の玩具付筆記具は、筆記具頂部と玩具底部とをスライド嵌着機構により着脱可能としたものであり、更に詳述すると筆記具頂部に形成した大径部、小径部からなる着脱用突部と、玩具底部に設けた前記大径部が挿通可能な広幅穴部と前記小径部が嵌合する嵌合穴部とを連通させた装着受穴とによってスライド嵌着機構を構成したものである。
そして、筆記具頂部に玩具底部を装着するには、前記スライド嵌着機構における広幅穴部に筆記具頂部に形成した大径部を挿通した後、筆記具頂部又は玩具自体をスライドさせて小径部を玩具底部の嵌合穴部に嵌め込むものである。
逆に筆記具頂部から玩具を取り外はずには、筆記具頂部又は玩具自体を装着時とは逆方向にスライドさせて筆記具頂部側の小径部を玩具底部の嵌合穴部から広幅穴部側に移動させ、広幅穴部から大径部を抜き取るものである。
このような構成、作用により、簡略操作にて長期に亙って支障なく玩具の筆記具頂部に対する着脱を繰り返すことができる。また、本発明の玩具付筆記具はボールペン、シャープペン、サインペン等異なる機能、種態の筆記具として機能させることができる。
【発明の実施の形態】
以下、本発明の実施の形態について詳細に説明する。
図１は本発明の実施の形態の一例であるボールペンとして機能する玩具付筆記具１０を示すものである。
この玩具付筆記具１０は、筆記具先端側に配置した筆記部（ボールペンのペン先）１を筆記具本体２から出没させるノック式に構成した筆記具頂部３に、例えば小型乗用車型の玩具２０をスライド嵌着機構により着脱可能に取り付けている。
前記スライド嵌着機構は、図２に示すように、筆記具頂部３に突出形成した大径部４、小径部５からなる着脱用突部６と、図３に示すように、玩具底部を形成する底板２１に設けた前記大径部４が挿通可能な広幅穴部２２と前記小径部５が嵌合する嵌合穴部２３とを連通させた装着受穴２４とにより構成している。
なお、図１、図２、図４中、７は筆記具頂部３の外周に配置した蛇腹部、図１、図３、図４中、２５は玩具２０の合計４個の車輪である。また、図３、図４中、２６は底板２１を固定するためのネジである。
本実施の形態の玩具付筆記具１０は、筆記具頂部３に形成した大径部４、小径部５からなる着脱用突部６と、玩具２０の底板２１に設けた前記大径部４が挿通可能な広幅穴部２２と前記小径部５が嵌合する嵌合穴部２３とを連通させた装着受穴２４とによってスライド嵌着機構を構成し、筆記具頂部３と玩具底部とをスライド嵌着機構により着脱可能としたものである。
そして、筆記具頂部３に玩具底部を装着固定するには、図４に示すように、まず前記スライド嵌着機構における広幅穴部２２に筆記具頂部３に形成した大径部４を挿通又は装着或いは嵌着した後、筆記具頂部３又は玩具２０自体をスライドさせて筆記具頂部３に形成した小径部５を玩具底部の嵌合穴部２３に嵌め込むものである。
逆に、筆記具頂部３から玩具２０を取り外すには、筆記具頂部３又は玩具２０自体を装着時とは逆方向にスライドさせて、筆記具頂部３側の小径部５を玩具底部の嵌合穴部２３から広幅穴部２２側に移動させ、広幅穴部２２から大径部４を抜き取るものである。
このような構成、作用により、簡略操作にて長期に亙って支障なく玩具２０の筆記具頂部３に対する着脱を繰り返すことができる。また、本実施の形態の玩具付筆記具はボールペンとして機能させることができる。
なお、本発明の玩具付筆記具としては、筆記具部分が上述したボールペン機能を有するものの他、シャープペン、サインペン等異なる機能、種態の筆記具部分を備えたものにも応用可能である。
【発明の効果】
本発明によれば、簡略操作にて長期に亙って支障なく玩具の筆記具頂部に対する着脱を繰り返すことができ、ボールペン等の筆記具としての機能の他に、取り外した玩具を小児等の遊興に供することが可能な玩具付筆記具を提供できる。
【図面の簡単な説明】
【図１】本発明の実施の形態の玩具付筆記具を示す正面図である。
【図２】本発明の実施の形態の玩具付筆記具における筆記具頂部を示す部分拡大図である。
【図３】本実施の形態の玩具付筆記具における玩具の底部を示す拡大図である。
【図４】本実施の形態の玩具付筆記具における筆記具頂部に対する玩具の取り付け状態を示す概略斜視図である。
【図５】従来の玩具付筆記具を示す正面図である。
【図６】従来の玩具付筆記具における筆記具頂部を示す部分拡大図である。
【図７】従来の玩具付筆記具における筆記具頂部に対する玩具の取り付け状態を示す概略斜視図である。
【符号の説明】
１  筆記部
２  筆記具本体
３  筆記具頂部
４  大径部
５  小径部
６  着脱用突部
７  蛇腹部
１０  玩具付筆記具
２０  玩具
２１  底板
２２  広幅穴部
２３  嵌合穴部
２４  装着受穴
２５  車輪
【図１】
2004230669.tif 000003
【図２】
2004230669.tif 000004
【図３】
2004230669.tif 000005
【図４】
2004230669.tif 000006
【図５】
2004230669.tif 000007
【図６】
2004230669.tif 000008
【図７】
2004230669.tif 000009